(57)【特許請求の範囲】
【請求項１】
隣り合う左右一対のサイドフレームと、両サイドフレームの後側部に渡し止められた固定扉と、固定扉の下側に位置する第一スライド扉と、第一スライド扉の下側に位置する第二スライド扉とを備え、第一スライド扉と第二スライド扉はそれぞれサイドフレームの内側面に設けられた前後方向に伸びるレール上を移動自在となされており、サイドフレームの外側面には前後一対のスプロケットが取り付けられ、両スプロケットによって第一チェーンが張設され、前記スプロケットの一方をモーターで駆動させることにより第一チェーンが回動するようになされており、第一スライド扉は第一連結部材を介して第一チェーンに連結され、第一スライド扉の下面一側には前後一対の扉用スプロケットが取り付けられ、両スプロケットによって第二チェーンが張設され、第二チェーンの一部は一側のサイドフレームに固定され、第二スライド扉はその一側上部に設けられた第二連結部材を介して第二チェーンに連結されており、前記モーターの駆動によって、第一チェーンが回動し、これに伴って第一スライド扉が動くと共に、第二チェーンが回動し、該第二チェーンの回動に伴って第二スライド扉が動くようになされている、扉開閉装置。
【請求項２】
サイドフレームおよびレールが前後に分割した構造となされている、請求項１記載の扉開閉装置。
【請求項３】
全体が略箱型である防音カバーの上壁に設けられた、請求項１または請求項２記載の扉開閉装置。
【発明の詳細な説明】
【技術分野】
【０００１】
本発明は、主として圧造機等の機械から発生する騒音を遮断するための防音カバー等における扉開閉装置に関する。
【背景技術】
【０００２】
一般に、この種防音カバーは、全体が機械を収容するための大きな箱形となっており、底部に前後壁、両側壁が立設され、これら壁によって形成される上部開口は上壁によって閉止される構造となっている。
【特許文献１】実開平７−９５９６号公報
【発明の開示】
【発明が解決しようとする課題】
【０００３】
近年、内部に収容される圧造機等の機械の大型化に伴って防音カバーの全体形状も大型化している。そのため、該防音カバーにおける上壁の寸法も大きくなり、そのため、防音カバーを、その製造工場から設置工場へ搬送する際、トレーラーの荷台から上壁の一部がはみ出た状態となる場合があり、これが防音カバーの輸送上の大きな問題となっていた。
【０００４】
本発明の目的は、上壁が大型化してもその輸送に困らず、しかも容易に開閉することができる扉開閉装置を提供することにある。
【課題を解決するための手段】
【０００５】
請求項１記載の扉開閉装置は、隣り合う左右一対のサイドフレームと、両サイドフレームの後側部に渡し止められた固定扉と、固定扉の下側に位置する第一スライド扉と、第一スライド扉の下側に位置する第二スライド扉とを備え、第一スライド扉と第二スライド扉はそれぞれサイドフレームの内側面に設けられた前後方向に伸びるレール上を移動自在となされており、サイドフレームの外側面には前後一対のスプロケットが取り付けられ、両スプロケットによって第一チェーンが張設され、前記スプロケットの一方をモーターで駆動させることにより第一チェーンが回動するようになされており、第一スライド扉は第一連結部材を介して第一チェーンに連結され、第一スライド扉の下面一側には前後一対の扉用スプロケットが取り付けられ、両スプロケットによって第二チェーンが張設され、第二チェーンの一部は一側のサイドフレームに固定され、第二スライド扉はその一側上部に設けられた第二連結部材を介して第二チェーンに連結されており、前記モーターの駆動によって、第一チェーンが回動し、これに伴って第一スライド扉が動くと共に、第二チェーンが回動し、該第二チェーンの回動に伴って第二スライド扉が動くようになされているものである。
【０００６】
請求項２記載の本発明は、前記請求項１記載の扉開閉装置について、サイドフレームおよびレールが前後に分割した構造となされているものである。
【０００７】
請求項３記載の本発明は、前記請求項１または請求項２記載の扉開閉装置について、全体が略箱型である防音カバーの上壁に設けられていることを特徴とするものである。
【発明の効果】
【０００８】
本発明の扉開閉装置によれば、固定扉の下方に第一スライド扉および第二スライド扉が位置する構造であるため、合計３枚の扉が重ねられた形態となり、したがって、扉全体の大きさとしては、約３分の一の大きさとなる。そのため、トレーラー等で輸送する場合に、輸送に必要なスペースの大幅な削減が可能となる。
【０００９】
また、固定扉の下側から第一スライド扉および第二スライド扉が前記固定扉の前方へ出てくる構造となされているため、扉としての開閉が行える。そして、この開閉は、一つのモーターの駆動に伴って第一チェーンおよび第二チェーン介して第一スライド扉と第二スライド扉とが連動して行われ得る。
【発明を実施するための最良の形態】
【００１０】
次に、本発明の実施形態を図面にしたがって説明するが、本発明はかかる実施形態に限定されるものではない。
【００１１】
本実施形態において、前後、左右および上下は、図４を基準とし、前側とは図４の右側を指し、後側とは同図の左側を意味する。また、左側とは図４の図面紙葉の表側を指し、右側とは同図の図面紙葉の裏側を指すものとする。更に、上側とは図４の上側を指し、下側とは図４の下側を意味する。
【００１２】
図１に示すように、防音カバー１は、全体が略箱型であって、底部２上に前後壁３および両側壁４が立設され、上壁５には後述する構造の扉開閉装置６が取り付けられている。
【００１３】
すなわち、図２および図３に示すように、扉開閉装置６は、いずれも方形である固定扉７と第一スライド扉８と第二スライド扉９とを備え、第一スライド扉８と第二スライド扉９とが後述する機構によって、両側のサイドフレーム１１・１２の内面における互いに対向する位置に取り付けられた第一レール１０と第二レール１３に沿って前方へスライド自在となされている。
【００１４】
具体的には、図３、図４および図６に示すように、一側のサイドフレーム１１の外側面には所定間隔をあけてスプロケット１４・１５が軸支され、両スプロケット１４・１５間には第一チェーン１６が張設されている。
【００１５】
そして、図３〜図６に示すように、固定扉７上面の後縁隅部にはモーター１７が取り付けられ、その下方における一側のサイドフレーム１１の外側面には軸１８の軸受１９が固定され、その一端部に前記スプロケット１４が取り付けられ、また軸１８の他端部には駆動用スプロケット２１が取り付けられており、該スプロケット２１とモーター１７の駆動軸２２に取り付けられたスプロケット２３には駆動用チェーン２４が張設されている。かかる構造によって、モーター１７が駆動することにより駆動用チェーン２４が回動し、これに伴ってスプロケット１４・１５が回転すると共に、第一チェーン１６が回動する。
【００１６】
なお、図２〜図５に示すように、両側のサイドフレーム１１・１２は、それらの長さ中央部付近において、当接し合う二枚のフランジ２５・２６が設けられ、両フランジ２５・２６は複数のボルト２７によって結合されている。すなわち、サイドフレーム１１・１２は、前記フランジ２５・２６を介して前半部が取り外し自在となされている。またこれに伴って、第一レール１０および第二レール１３もフランジ２５・２６の位置で前後に分割された構造となされている。なお、図１２に示すように、第一レール１０には第一スライド扉８の各角部に取り付けられたローラー２０が載せられ、該ローラー２０をよって第一スライド扉８が前後方向に移動し得るようになされ、また第二スライド扉９についても同様に、その各角部に取り付けられたローラー（図示せず）が第二レール１３上を動くようになされている。
【００１７】
図７〜図９に示すように、第一スライド扉８は第一連結部材２７を介して第一チェーン１６に連結されている。具体的には第一連結部材２７は図７および図８に示すように、平面から見て略方形であって、その基部２７ａが３本のボルト２８により第一スライド扉８に固定され、第一連結部材２７の先端部２７ｂは２本のキャップボルト２９によって第一チェーン１６に連結されている。
【００１８】
図７、図８、図１２および図１３に示すように、第一スライド扉８の下面一側には、所定間隔をあけて前後一対の扉用スプロケット３１・３２が軸支され、これら扉用スプロケット３１・３２には第二チェーン３３が張設され、また図９および図１２に示すように、第二チェーン３３の一部は、略立方体形状の第一部材３４および第２部材３５からなる固定用部材３０に挟まれ、第一部材３４を貫通する３本のボルト３６の軸部（図示せず）が第二チェーン３３の隙間を通って第２部材３５に形成された雌ネジ部（図示せず）に螺合しており、そして第２部材３５は一側のサイドフレーム１１にボルト４０で固定されており（図９参照）、その結果、第二チェーン３３の一部は第一部材３４および第２部材３５によって一側のサイドフレーム１１に固定された状態となっている。
【００１９】
図１３、図１４および図１５に示すように、第二スライド扉９の一側の上面後縁寄り隅部には平面から見て略方形の第二連結部材３７が３本のボルト３８によって固定され、第二連結部材３７の突出部３７ａはキャップボルト４１を介して第二チェーン３３と連結されており、その結果、第二スライド扉９と第二チェーン３３とが連結された状態となっている。
【００２０】
なお、図中４５・４６は、第一スライド扉および第二スライド扉に形成された小窓を示し、また３０は第二スライド扉９の前縁に取り付けられた帯状のゴム板を示す。
【００２１】
次に、本実施形態にかかる扉開閉装置の作動要領について説明すると、図２に示すように、固定扉７の下方に第一スライド扉８と第二スライド扉９とが完全に収まった状態では、図７に示すように、第一チェーン１６に連結されている第一連結部材２７は、もっとも後側に位置しており、また第二チェーン３３に連結された第二連結部材３７も同様に後側に位置している。
【００２２】
その後、モーター１７を正回転させると、図１０に示すように、第一チェーン１６が矢印Ａ方向に動くと共に、第二チェーンが矢印Ｂ方向に動き、そして、第一チェーン１６に連結されている第一連結部材２７が前方へ移動する。そして、この際、第一連結部材２７が固定されている第一スライド扉８も前方へ動く。また、固定用部材３５によって、第二チェーン３３の一部がサイドフレーム１１に固定されているため、前記第一スライド扉８の前方移動に伴って第二連結部材３７を介して第二チェーン３３に連結されている第二スライド扉９も前方へ移動する。その結果、固定扉７と第一スライド扉８と第二スライド扉９は図１６に示した状態となる。
【００２３】
そして、最終的には、図１１に示すように、第二スライド扉９の前縁９ａがサイドフレーム１１・１２の先端部に達した時点でリミットスイッチ（図示せず）によってモーター１７の正回転が停止し、第一スライド扉８と第二スライド扉９とによって、当該防音カバー１の上部開口が閉止された状態となる。その結果、固定扉７と第一スライド扉８と第二スライド扉９は図１７に示した状態となる。
【００２４】
一方、モーター１７を逆回転させれば、前記と逆の要領で第一スライド扉８と第二スライド扉９が後側へ移動して当該防音カバー１の上部開口が開けられたままの状態となる。
【産業上の利用可能性】
【００２５】
本発明の扉開閉装置によれば、その搬送作業が容易に行えるため、圧造機に限らず、種々の機械における防音カバーに幅広く利用され得る。
【図面の簡単な説明】
【００２６】
【図１】防音カバーの斜視図である。
【図２】防音カバー上部における扉開閉装置の斜視図である。
【図３】扉開閉装置単体の斜視図である。
【図４】扉開閉装置の側面図である。
【図５】扉開閉装置におけるサイドフレームの継ぎ手部分を示す部分拡大斜視図である。
【図６】モーター駆動部の部分拡大斜視図である。
【図７】扉が完全に開いた状態の平面参考図であって、固定扉を省略した図である。
【図８】第一スライド扉の下面図である。
【図９】第一チェーンの前端部分を示す部分拡大斜視図である。
【図１０】扉が閉じる途中の状態を示す平面参考図である。
【図１１】扉が完全に閉じた状態の平面参考図である。
【図１２】第一スライド扉の下面後部を示す部分拡大斜視図である。
【図１３】第一スライド扉の下面前部を示す部分拡大斜視図である。
【図１４】第一スライド扉の小窓から第二スライド扉を見た状態の平面図である。
【図１５】第一スライド扉の下面前部を示す部分拡大斜視図である。
【図１６】扉が閉じる途中の状態を示す斜視図である。
【図１７】扉が完全に閉じた状態の斜視図である。
【符号の説明】
【００２７】
１  防音カバー
６  扉開閉装置
７  固定扉
８  第一スライド扉
９  第二スライド扉
１０  第一レール
１１・１２  サイドフレーム
１３  第二レール
１４・１５  スプロケット
１６  第一チェーン
１７  モーター
２７  第一連結部材
３１・３２  扉用スプロケット
３３  第二チェーン
３７  第二連結部材
【要約】
【課題】  圧造機械等の防音カバーにおいて、その上壁が大型化した場合でもその輸送に困らず、しかも容易に開閉することができるようにする。
【解決手段】  左右一対のサイドフレーム１１・１２と、左右一対のサイドフレーム１１・１２の後側部に渡し止められた固定扉７と、固定扉７の下方に位置する第一スライド扉８と、第一スライド扉８の下方に位置する第二スライド扉９とを備えており、固定扉７上に取り付けられたモーター１７の駆動に伴って第一チェーン１６が回動するのに連動して第一スライド扉８が前方に動き、更に第一スライド扉８の下面に設けられた第二チェーン３３を介して第二スライド扉９が前方に動くようになされている。
【選択図】  図３【図１】
0004143678.tif 000002
【図２】
0004143678.tif 000003
【図３】
0004143678.tif 000004
【図４】
0004143678.tif 000005
【図５】
0004143678.tif 000006
【図６】
0004143678.tif 000007
【図７】
0004143678.tif 000008
【図８】
0004143678.tif 000009
【図９】
0004143678.tif 000010
【図１０】
0004143678.tif 000011
【図１１】
0004143678.tif 000012
【図１２】
0004143678.tif 000013
【図１３】
0004143678.tif 000014
【図１４】
0004143678.tif 000015
【図１５】
0004143678.tif 000016
【図１６】
0004143678.tif 000017
【図１７】
0004143678.tif 000018